(57)【要約】【課題】字幕提示機能を有するＤＴＶ放送信号受信装置において、ＤＴＶ放送信号にＤＴＶ字幕情報及び／又はＮＴＳＣ字幕情報が含まれているか否かユーザが容易に識別できるようにする。【解決手段】ＤＴＶ放送信号受信装置は、ＤＴＶ字幕情報（以下、ＤＴＶ−ＣＣ）が検出された場合に（＃２１でＹＥＳ）、ＤＴＶ−ＣＣが検出された旨をユーザに報知するためのＤＴＶ−ＣＣロゴをテレビ番組の画像に重ねてモニタ出力し（＃２２）、ＮＴＳＣ字幕情報（以下、ＮＴＳＣ−ＣＣ）が検出された場合に、ＮＴＳＣ−ＣＣが検出された旨をユーザに報知するためのＮＴＳＣ−ＣＣロゴをテレビ番組の画像に重ねてモニタ出力する。ユーザは、ＤＴＶ−ＣＣロゴ及びＮＴＳＣ−ＣＣロゴを確認することにより、ＤＴＶ放送信号にＤＴＶ−ＣＣ及び／又はＮＴＳＣ−ＣＣが含まれているか否か容易に識別することができる。【選択図】図４
2006295675.tif 000002
【特許請求の範囲】
【請求項１】
ＡＴＳＣ（Advanced Television Systems Committee）方式のディジタルテレビジョン（以下、ＤＴＶという）放送信号に、ＥＩＡ−７０８規格に準拠したＤＴＶ方式の字幕情報（以下、ＤＴＶ字幕情報という）、及び／又は、ＥＩＡ−６０８規格に準拠したＮＴＳＣ（National Television System Committee）方式の字幕情報に基づいて作成された字幕情報（以下、ＮＴＳＣ字幕情報という）が含まれているか否か検出する字幕情報検出手段と、
前記ＤＴＶ放送信号に、前記ＤＴＶ字幕情報及び／又は前記ＮＴＳＣ字幕情報が含まれている場合に、該ＤＴＶ字幕情報及び／又は該ＮＴＳＣ字幕情報を抽出する字幕情報抽出手段と、
前記字幕情報抽出手段により抽出される前記ＤＴＶ字幕情報及び／又は前記ＮＴＳＣ字幕情報に関する画像をテレビ番組の画像に重ねてモニタ出力する出力手段と、
前記出力手段によるモニタ出力を制御する出力制御手段とを備えたＤＴＶ放送信号受信装置において、
前記字幕情報検出手段は、前記ＤＴＶ放送信号に含まれている番組伝送制御データを参照せずに、該ＤＴＶ放送信号に含まれている映像データを参照することにより、該映像データに前記ＤＴＶ字幕情報、及び／又は、前記ＮＴＳＣ字幕情報が含まれているか否か検出し、
前記出力制御手段は、
前記字幕情報検出手段により前記ＤＴＶ字幕情報が検出された場合に、該ＤＴＶ字幕情報が検出された旨をユーザに報知するための第１報知画像を、テレビ番組の画像に重ねてモニタ出力させる第１報知画像出力制御手段と、
前記字幕情報検出手段により前記ＮＴＳＣ字幕情報が検出された場合に、該ＮＴＳＣ字幕情報が検出された旨をユーザに報知するための第２報知画像を、テレビ番組の画像に重ねてモニタ出力させる第２報知画像出力制御手段と、
前記第１報知画像がモニタ出力される場合に、前記字幕情報抽出手段により抽出された前記ＤＴＶ字幕情報をテレビ番組の画像に重ねてモニタ出力させ、前記第１報知画像がモニタ出力されず第２報知画像のみがモニタ出力される場合に、前記字幕情報抽出手段により抽出された前記ＮＴＳＣ字幕情報をテレビ番組の画像に重ねてモニタ出力させる字幕情報出力制御手段とを有し、
前記第１報知画像出力制御手段及び第２報知画像出力制御手段は、前記字幕情報検出手段により検出されていたＤＴＶ字幕情報及び／又はＮＴＳＣ字幕情報が検出されなくなった場合において、前記ＤＴＶ字幕情報及び／又は前記ＮＴＳＣ字幕情報が検出されなくなってから所定時間経過するまでは前記第１報知画像及び／又は前記第２報知画像のモニタ出力を維持し、前記ＤＴＶ字幕情報及び／又は前記ＮＴＳＣ字幕情報が検出されない状態が前記所定時間継続したときに、前記第１報知画像及び／又は前記第２報知画像のモニタ出力を中止することを特徴とするＤＴＶ放送信号受信装置。
【請求項２】
ＤＴＶ放送信号に、ＤＴＶ字幕情報、及び／又は、ＮＴＳＣ字幕情報が含まれているか否か検出する字幕情報検出手段と、
前記ＤＴＶ放送信号に、前記ＤＴＶ字幕情報及び／又は前記ＮＴＳＣ字幕情報が含まれている場合に、該ＤＴＶ字幕情報及び／又は該ＮＴＳＣ字幕情報を抽出する字幕情報抽出手段と、
前記字幕情報抽出手段により抽出される前記ＤＴＶ字幕情報及び／又は前記ＮＴＳＣ字幕情報に関する画像をテレビ番組の画像に重ねてモニタ出力する出力手段と、
前記出力手段によるモニタ出力を制御する出力制御手段とを備えたＤＴＶ放送信号受信装置において、
前記出力制御手段は、
前記字幕情報検出手段により前記ＤＴＶ字幕情報が検出された場合に、該ＤＴＶ字幕情報が検出された旨をユーザに報知するための第１報知画像を、テレビ番組の画像に重ねてモニタ出力させる第１報知画像出力制御手段と、
前記字幕情報検出手段により前記ＮＴＳＣ字幕情報が検出された場合に、該ＮＴＳＣ字幕情報が検出された旨をユーザに報知するための第２報知画像を、テレビ番組の画像に重ねてモニタ出力させる第２報知画像出力制御手段とを有することを特徴とするＤＴＶ放送信号受信装置。
【請求項３】
前記字幕情報検出手段は、前記ＤＴＶ放送信号に含まれている番組伝送制御データを参照せずに、該ＤＴＶ放送信号に含まれている映像データを参照することにより、該映像データに前記ＤＴＶ字幕情報、及び／又は、前記ＮＴＳＣ字幕情報が含まれているか否か検出することを特徴とする請求項２に記載のＤＴＶ放送信号受信装置。
【発明の詳細な説明】
【技術分野】
【０００１】
本発明は、字幕提示機能を有するディジタルテレビジョン放送信号受信装置に関する。
【背景技術】
【０００２】
従来から、クローズドキャプション等の字幕情報を含むディジタルテレビジョン（ＤＴＶ）放送信号から字幕情報を抽出し、抽出された字幕情報をテレビ番組の映像に重ねてモニタ出力する字幕提示機能を備えたＤＴＶ放送信号受信装置が知られている。
【０００３】
例えば、米国においては、ＥＩＡ−６０８規格及びＥＩＡ−７０８規格によりクローズドキャプションに関する標準が定められており、放送局は、これらの規格に準じたＴＶ放送信号を配信することにより、受信装置側でクローズキャプションを提示させることが可能である。
【０００４】
また、クローズキャプションを提示する際のフォーマットを規定する各種パラメータを受信装置側で調整できるようにしたＴＶ放送信号受信装置も知られている（例えば、特許文献１参照）。例えば、ＥＩＡ−７０８規格では、ユーザがパラメータの一部を受信装置側で任意に設定することができる仕様を定めている。このようなパラメータには、フォントタイプ、フォントサイズ、文字色（FOREGROUND  COLOR）、背景色（BACKGROUND  COLOR）、エッジの色（EDGE  COLOR）、エッジタイプ（EDGE  TYPE）、文字の不透過度（FOREGROUND  OPACITY）、及び背景の不透過度（BACKGROUND  OPACITY）等があり、各パラメータには、複数の選択要素が含まれている。ＥＩＡ−７０８規格に準拠したＤＴＶ放送信号受信装置では、ユーザは、これらのパラメータを調整することにより、クローズドキャプションのフォーマットを任意に変更することが可能である。
【０００５】
ところで、ＤＴＶ放送信号には、ＤＴＶ方式の字幕情報（以下、ＤＴＶ字幕情報という）のみならず、ＮＴＳＣ（National Television System Committee）方式の字幕情報に基づいて作成された字幕情報（以下、ＮＴＳＣ字幕情報という）が含まれている場合がある。
【特許文献１】特開２００３−９０９６号公報
【発明の開示】
【発明が解決しようとする課題】
【０００６】
しかしながら、従来のＤＴＶ放送信号受信装置においては、ＤＴＶ放送信号から字幕情報を抽出し、抽出した字幕情報をテレビ番組の画像に重ねてモニタ出力できるものの、ユーザはモニタ出力された字幕情報がＤＴＶ字幕情報であるか、ＮＴＳＣ字幕情報であるか識別することが難しかった。ＤＴＶ方式ではＮＴＳＣ式に比べてより多くのデータを字幕情報に割り当てることが可能であり、例えば、上述したようにＥＩＡ−７０８規格に準拠したクローズドキャプションでは、ユーザサイドで字幕情報の各種パラメータの設定が可能であるため、モニタ出力された字幕情報がＤＴＶ字幕情報であるか、ＮＴＳＣ字幕情報であるかユーザが識別できるようにすることは装置の使い勝手を向上させる上で重要となる。
【０００７】
本発明は、上記課題を解決するためになされたものであり、ユーザが視聴しているテレビ番組のＤＴＶ放送信号にＤＴＶ字幕情報及び／又はＮＴＳＣ字幕情報が含まれているか否か容易に識別することができるＤＴＶ放送信号受信装置を提供することを目的とする。
【課題を解決するための手段】
【０００８】
上記目的を達成するために請求項１の発明は、ＡＴＳＣ（Advanced Television Systems Committee）方式のディジタルテレビジョン（以下、ＤＴＶという）放送信号に、ＥＩＡ−７０８規格に準拠したＤＴＶ方式の字幕情報（以下、ＤＴＶ字幕情報という）、及び／又は、ＥＩＡ−６０８規格に準拠したＮＴＳＣ（National Television System Committee）方式の字幕情報に基づいて作成された字幕情報（以下、ＮＴＳＣ字幕情報という）が含まれているか否か検出する字幕情報検出手段と、前記ＤＴＶ放送信号に、前記ＤＴＶ字幕情報及び／又は前記ＮＴＳＣ字幕情報が含まれている場合に、該ＤＴＶ字幕情報及び／又は該ＮＴＳＣ字幕情報を抽出する字幕情報抽出手段と、前記字幕情報抽出手段により抽出される前記ＤＴＶ字幕情報及び／又は前記ＮＴＳＣ字幕情報に関する画像をテレビ番組の画像に重ねてモニタ出力する出力手段と、前記出力手段によるモニタ出力を制御する出力制御手段とを備えたＤＴＶ放送信号受信装置において、前記字幕情報検出手段は、前記ＤＴＶ放送信号に含まれている番組伝送制御データを参照せずに、該ＤＴＶ放送信号に含まれている映像データを参照することにより、該映像データに前記ＤＴＶ字幕情報、及び／又は、前記ＮＴＳＣ字幕情報が含まれているか否か検出し、前記出力制御手段は、前記字幕情報検出手段により前記ＤＴＶ字幕情報が検出された場合に、該ＤＴＶ字幕情報が検出された旨をユーザに報知するための第１報知画像を、テレビ番組の画像に重ねてモニタ出力させる第１報知画像出力制御手段と、前記字幕情報検出手段により前記ＮＴＳＣ字幕情報が検出された場合に、該ＮＴＳＣ字幕情報が検出された旨をユーザに報知するための第２報知画像を、テレビ番組の画像に重ねてモニタ出力させる第２報知画像出力制御手段と、前記第１報知画像がモニタ出力される場合に、前記字幕情報抽出手段により抽出された前記ＤＴＶ字幕情報をテレビ番組の画像に重ねてモニタ出力させ、前記第１報知画像がモニタ出力されず第２報知画像のみがモニタ出力される場合に、前記字幕情報抽出手段により抽出された前記ＮＴＳＣ字幕情報をテレビ番組の画像に重ねてモニタ出力させる字幕情報出力制御手段とを有し、前記第１報知画像出力制御手段及び第２報知画像出力制御手段は、前記字幕情報検出手段により検出されていたＤＴＶ字幕情報及び／又はＮＴＳＣ字幕情報が検出されなくなった場合において、前記ＤＴＶ字幕情報及び／又は前記ＮＴＳＣ字幕情報が検出されなくなってから所定時間経過するまでは前記第１報知画像及び／又は前記第２報知画像のモニタ出力を維持し、前記ＤＴＶ字幕情報及び／又は前記ＮＴＳＣ字幕情報が検出されない状態が前記所定時間継続したときに、前記第１報知画像及び／又は前記第２報知画像のモニタ出力を中止することを特徴とする。
【０００９】
請求項２の発明は、ＤＴＶ放送信号に、ＤＴＶ字幕情報、及び／又は、ＮＴＳＣ字幕情報が含まれているか否か検出する字幕情報検出手段と、前記ＤＴＶ放送信号に、前記ＤＴＶ字幕情報及び／又は前記ＮＴＳＣ字幕情報が含まれている場合に、該ＤＴＶ字幕情報及び／又は該ＮＴＳＣ字幕情報を抽出する字幕情報抽出手段と、前記字幕情報抽出手段により抽出される前記ＤＴＶ字幕情報及び／又は前記ＮＴＳＣ字幕情報に関する画像をテレビ番組の画像に重ねてモニタ出力する出力手段と、前記出力手段によるモニタ出力を制御する出力制御手段とを備えたＤＴＶ放送信号受信装置において、前記出力制御手段は、前記字幕情報検出手段により前記ＤＴＶ字幕情報が検出された場合に、該ＤＴＶ字幕情報が検出された旨をユーザに報知するための第１報知画像を、テレビ番組の画像に重ねてモニタ出力させる第１報知画像出力制御手段と、前記字幕情報検出手段により前記ＮＴＳＣ字幕情報が検出された場合に、該ＮＴＳＣ字幕情報が検出された旨をユーザに報知するための第２報知画像を、テレビ番組の画像に重ねてモニタ出力させる第２報知画像出力制御手段とを有することを特徴とする。
【００１０】
請求項３の発明は、請求項２に記載の発明において、前記字幕情報検出手段は、前記ＤＴＶ放送信号に含まれている番組伝送制御データを参照せずに、該ＤＴＶ放送信号に含まれている映像データを参照することにより、該映像データに前記ＤＴＶ字幕情報、及び／又は、前記ＮＴＳＣ字幕情報が含まれているか否か検出することを特徴とする。
【発明の効果】
【００１１】
請求項１の発明によれば、字幕情報検出手段によりＤＴＶ字幕情報が検出された場合に、ＤＴＶ字幕情報が検出された旨をユーザに報知するための第１報知画像を、テレビ番組の画像に重ねてモニタ出力し、字幕情報検出手段によりＮＴＳＣ字幕情報が検出された場合に、ＮＴＳＣ字幕情報が検出された旨をユーザに報知するための第２報知画像を、テレビ番組の画像に重ねてモニタ出力するので、ユーザは、視聴しているテレビ番組のＤＴＶ放送信号にＤＴＶ字幕情報及び／又はＮＴＳＣ字幕情報が含まれているか否か容易に識別することができる。
【００１２】
また、ＤＴＶ放送信号の番組伝送制御データを参照せずに、字幕情報が格納されるＤＴＶ放送信号の映像データを直接参照することにより、映像データにＤＴＶ字幕情報及び／又はＮＴＳＣ字幕情報が含まれているか否か検出するので、番組伝送制御データの記述が誤っている場合でも、正確に字幕情報の有無を検出することができる。
【００１３】
また、ＤＴＶ字幕情報及びＮＴＳＣ字幕情報の両方が検出された場合には、ユーザサイドでパラメータの設定変更が可能なＥＩＡ−７０８規格に準拠したＤＴＶ字幕情報を優先的にモニタ出力するようにしたので、パラメータの設定によりユーザの好みが反映された字幕情報を優先的に表示させることができる。
【００１４】
また、検出されていたＤＴＶ字幕情報及び／又はＮＴＳＣ字幕情報が検出されなくなった場合においても、所定時間経過するまでは第１報知画像及び／又は第２報知画像のモニタ出力を維持するので、一時的にＤＴＶ字幕情報及び／又はＮＴＳＣ字幕情報が検出できなくなっても、第１報知画像及び／又は第２報知画像の表示が無闇に切り替わることがない。また、ＤＴＶ字幕情報及びＮＴＳＣ字幕情報の表示が無闇に切り替わることもない。
【００１５】
請求項２の発明によれば、字幕情報検出手段によりＤＴＶ字幕情報が検出された場合に、ＤＴＶ字幕情報が検出された旨をユーザに報知するための第１報知画像を、テレビ番組の画像に重ねてモニタ出力し、字幕情報検出手段によりＮＴＳＣ字幕情報が検出された場合に、ＮＴＳＣ字幕情報が検出された旨をユーザに報知するための第２報知画像を、テレビ番組の画像に重ねてモニタ出力するので、ユーザは、視聴しているテレビ番組のＤＴＶ放送信号に、ＤＴＶ字幕情報及び／又はＮＴＳＣ字幕情報が含まれているか否かを容易に識別することができる。
【００１６】
請求項３の発明によれば、ＤＴＶ放送信号の番組伝送制御データを参照せずに、字幕情報が格納されるＤＴＶ放送信号の映像データを直接参照することにより、映像データにＤＴＶ字幕情報及び／又はＮＴＳＣ字幕情報が含まれているか否か検出するので、番組伝送制御データの記述が誤っている場合でも、正確に字幕情報の有無を検出することができる。
【発明を実施するための最良の形態】
【００１７】
以下、本発明を具体化した実施形態について図面を参照して説明する。図１に示されるディジタルテレビジョン（ＤＴＶ）放送信号受信装置１は、ＡＴＳＣ（Advanced Television Systems Committee）方式のＤＴＶ放送信号をアンテナ２を介して受信し、受信したＤＴＶ放送信号に含まれている映像信号及び音声信号をモニタ画面３に出力すると共に、ＤＴＶ放送信号からクローズドキャプション（字幕情報、以下、ＣＣと略す）を抽出し、抽出されたＣＣをテレビ番組の画像に重ねてモニタ出力する装置である。
【００１８】
ＤＴＶ放送信号受信装置１は、所定チャンネルのＤＴＶ放送信号を受信するチューナ１１と、受信したＤＴＶ放送信号を処理するデコード部１２と、オンスクリーンディスプレイ（ＯＳＤ）部１３と、リモコン１４と、リモコン受信部１５と、装置全体を制御する制御部１６と、各種情報を記憶するメモリ１７とを備えている。
【００１９】
チューナ１１は指定された周波数の信号を選局して、受信したＤＴＶ放送信号の復調、誤り訂正処理を行い、ＴＳ（Transport  Stream）パケットを出力する。デコード部１２は、映像信号及び音声信号を含むＴＳパケットをデコードする映像・音声デコード部と、ＣＣを含むＴＳパケットをデコードし、ＣＣを抽出する字幕情報デコード部（字幕情報抽出手段）とを備えている。
【００２０】
図２に示されるように、ＤＴＶ放送信号４０には、ＰＳＩＰ（Program and System Information Protocol）等の番組伝送制御データ４１、映像データ４２、及び音声データ４３が含まれている。ＡＴＳＣ方式のＤＴＶ放送において、ＥＩＡ−７０８規格に準拠したＤＴＶ方式のＣＣ（ＤＴＶ字幕情報、以下、ＤＴＶ−ＣＣと略す）、及び／又は、ＥＩＡ−６０８規格に準拠したＮＴＳＣ（National Television System Committee）方式のＣＣに基づいて作成されたＣＣ（ＮＴＳＣ字幕情報、以下、ＮＴＳＣ−ＣＣと略す）は、映像データ４２を用いて伝送される。また、番組伝送制御データ４１には、映像データ４２にＤＴＶ−ＣＣ及び／又はＮＴＳＣ−ＣＣが存在するか否かを示す記述４１ａが含まれている。
【００２１】
デコード部１２の映像・音声デコード部は、映像信号及び音声信号を含むＴＳパケットの復号処理を行い、ＤＴＶ放送信号受信装置１に接続されたモニタ装置にＯＳＤ部１３を介して映像・音声信号を出力する。字幕情報デコード部は、ＤＴＶ放送信号にＤＴＶ−ＣＣ及び／又はＮＴＳＣ−ＣＣが含まれている場合に、ＣＣを含むＴＳパケットの復号処理を行い、ＤＴＶ−ＣＣ及び／又はＮＴＳＣ−ＣＣを抽出する。
【００２２】
ＯＳＤ部（出力手段）１３は、字幕情報デコード部により抽出されるＤＴＶ−ＣＣ及び／又はＮＴＳＣ−ＣＣに関する画像をテレビ番組の画像に重ねて所定フォーマットでモニタ出力すると共に、ユーザがＣＣのフォーマットを設定する際のユーザインタフェースを提供する。
【００２３】
リモコン１４は、ユーザによって操作されるテンキー、カーソルキー、決定キーなどを備えており、各キーの操作に応じたキー操作信号をリモコン受信部１５に送信する。リモコン受信部１５は、リモコン１４からキー操作信号を受信して制御部１６へ送信する。
【００２４】
制御部１６は、装置全体の制御を行い、ＯＳＤ部１３によるモニタ出力を制御する出力制御手段として機能する。また、制御部１６は、後述するＣＣ表示処理を実行することにより、ＡＴＳＣ方式のＤＴＶ放送信号にＤＴＶ−ＣＣ及び／又はＮＴＳＣ−ＣＣが含まれているか否か検出する字幕情報検出手段として機能する。本実施形態においては、制御部１６は、ＤＴＶ放送信号４０に含まれている番組伝送制御データ４１を参照せずに、ＤＴＶ放送信号４０に含まれている映像データ４２を直接参照することにより、ＤＴＶ放送信号４０にＤＴＶ−ＣＣ及び／又はＮＴＳＣ−ＣＣが含まれているか否か検出する。
【００２５】
また、図６乃至図８に示されるように、制御部１６は、ＣＣ表示処理を実行することにより、ＤＴＶ−ＣＣが検出された場合において、ＤＴＶ−ＣＣが検出された旨をユーザに報知するためのＤＴＶ−ＣＣロゴ（第１報知画像）３１を、テレビ番組の画像に重ねてモニタ出力させる第１報知画像出力制御手段として機能すると共に、ＮＴＳＣ−ＣＣが検出された場合において、ＮＴＳＣ−ＣＣが検出された旨をユーザに報知するためのＮＴＳＣ−ＣＣロゴ（第２報知画像）３２を、テレビ番組の画像に重ねてモニタ出力させる第２報知画像出力制御手段として機能する。
【００２６】
更に、制御部１６は、ＤＴＶ−ＣＣロゴ３１がモニタ出力される場合に、デコード部１２により抽出されたＤＴＶ−ＣＣ３３をテレビ番組の画像に重ねてモニタ出力させ、ＤＴＶ−ＣＣロゴ３１がモニタ出力されずＮＴＳＣ−ＣＣロゴ３２のみがモニタ出力される場合に、デコード部１２により抽出されたＮＴＳＣ−ＣＣ３４をテレビ番組の画像に重ねてモニタ出力させる字幕情報出力制御手段としても機能する。
【００２７】
次に、図３乃至図５のフローチャートを参照してＣＣ表示処理について説明する。ＣＣ表示処理は、装置のＣＣ提示機能が有効になっている間は、常に実行される。ＣＣ表示処理が開始されると、制御部１６は、ＤＴＣ−ＣＣがモニタ出力されているか否かを示すＤＴＶ−ＣＣフラグ、ＮＴＳＣ−ＣＣがモニタ出力されているか否かを示すＮＴＳＣ−ＣＣフラグ、ＤＴＶ−ＣＣが検出されなくなってからの時間を示すＤＴＶ−ＣＣカウンタ、及びＮＴＳＣ−ＣＣが検出されなくなってからの時間を示すＮＴＳＣ−ＣＣカウンタをクリアし（＃１）、ＤＴＶ−ＣＣ処理（＃２）、ＮＴＳＣ−ＣＣ処理（＃３）の順に処理を実行する。
【００２８】
ＤＴＶ−ＣＣ表示処理が開始されると、制御部１６はＤＴＶ放送信号の映像データを参照してＤＴＶ放送信号にＤＴＶ−ＣＣが含まれているか否か判断する（＃２１）。ＤＴＶ放送信号にＤＴＶ−ＣＣが含まれている場合には（＃２１でＹＥＳ）、制御部１６はＯＳＤ部１３を介してＤＴＶ−ＣＣロゴをモニタ出力させ（＃２２）、ＤＴＶ−ＣＣカウンタをクリアする（＃２３）。そして、制御部１６は、ＮＴＳＣ−ＣＣフラグがセットされているか否かを判断し（＃２４）、ＮＴＳＣ−ＣＣフラグがセットされていれば（＃２４でＹＥＳ）、ＤＴＶ−ＣＣ表示処理を終了し、ＮＴＳＣ−ＣＣフラグがセットされていなければ（＃２４でＮＯ）、ＤＴＶ−ＣＣをモニタ出力させ（＃２５）、ＤＴＣ−ＣＣフラグをセットする（＃２６）。
【００２９】
一方、ＤＴＶ放送信号にＤＴＶ−ＣＣが含まれていない場合には（＃２１でＮＯ）、ＤＴＶ−ＣＣカウンタが所定時間以上、例えば、１０秒以上か否か判断し（＃２７）、ＤＴＶ−ＣＣカウンタが１０秒より小さければ（＃２７でＮＯ）、ＤＴＶ−ＣＣカウンタをインクリメントする（＃２８）。一方、ＤＴＶ−ＣＣカウンタが１０秒以上であれば（＃２７でＹＥＳ）、ＤＴＶ−ＣＣロゴを消去し（＃２９）、ＤＴＶ−ＣＣフラグをクリアする（＃３０）。
【００３０】
制御部１６は、ＤＴＶ−ＣＣ表示処理が終了すると、続けてＮＴＳＣ−ＣＣ表示処理を開始し、ＤＴＶ放送信号の映像データを参照してＤＴＶ放送信号にＮＴＳＣ−ＣＣが含まれているか否か判断する（＃４１）。ＤＴＶ放送信号にＮＴＳＣ−ＣＣが含まれている場合には（＃４１でＹＥＳ）、制御部１６はＯＳＤ部１３を介してＮＴＳＣ−ＣＣロゴをモニタ出力させ（＃４２）、ＮＴＳＣ−ＣＣカウンタをクリアする（＃４３）。そして、制御部１６は、ＤＴＶ−ＣＣフラグがセットされているか否かを判断し（＃４４）、ＤＴＶ−ＣＣフラグがセットされていれば（＃４４でＹＥＳ）、ＮＴＳＣ−ＣＣ表示処理を終了し、ＤＴＶ−ＣＣフラグがセットされていなければ（＃４４でＮＯ）、ＮＴＳＣ−ＣＣをモニタ出力させ（＃４５）、ＮＴＳＣ−ＣＣフラグをセットする（＃４６）。
【００３１】
一方、映像データにＮＴＳＣ−ＣＣが含まれていない場合には（＃４１でＮＯ）、ＮＴＳＣ−ＣＣカウンタが、所定時間以上、例えば、１０秒以上か否か判断し（＃４７）、ＮＴＳＣ−ＣＣカウンタが１０秒より小さければ（＃４７でＮＯ）、ＮＴＳＣ−ＣＣカウンタをインクリメントする（＃４８）。一方、ＮＴＳＣ−ＣＣカウンタが１０秒以上であれば（＃４７でＹＥＳ）、ＮＴＳＣ−ＣＣロゴを消去し（＃４９）、ＮＴＳＣ−ＣＣフラグをクリアする（＃５０）。
【００３２】
例えば、ＤＴＶ放送信号にＤＴＶ−ＣＣ及びＮＴＳＣ−ＣＣが含まれている場合においてＣＣ表示処理が開始された場合、制御部１６は、まず、ＮＴＳＣ−ＣＣフラグ等をクリアし（＃１）、ＤＴＶ−ＣＣ表示処理において、ＤＴＶ−ＣＣロゴ３１をモニタ出力させ（図６のモニタ画面３ａ参照）（＃２２）、ＤＴＶ−ＣＣカウンタをクリアする（＃２３）。そして、ＮＴＳＣ−ＣＣフラグが上記ステップ＃１でクリアされ、セットされていないので（＃２４でＮＯ）、ＤＴＶ−ＣＣ３３をモニタ出力させ（図６のモニタ画面３ｂ参照）（＃２５）、ＤＴＶ−ＣＣフラグをセットする（＃２６）。
【００３３】
続いて、ＮＴＳＣ−ＣＣ表示処理において、ＮＴＳＣ−ＣＣロゴ３２を表示させ（図６のモニタ画面３ｃ参照）（＃４２）、ＮＴＳＣ−ＣＣカウンタをクリアする（＃４３）。そして、上記ステップ＃２６でＤＴＶ−ＣＣフラグがセットされているので（＃４４でＹＥＳ）、ＮＴＳＣ−ＣＣをモニタ出力せずにＮＴＳＣ−ＣＣ表示処理を終了する。
【００３４】
また、ＤＴＶ放送信号にＤＴＶ−ＣＣが含まれず、ＮＴＳＣ−ＣＣのみが含まれている場合（＃２１でＮＯ、＃４１でＹＥＳの場合）には、制御部１６は、ＤＴＶ−ＣＣロゴ及びＤＴＶ−ＣＣをモニタ出力せずに（ＤＴＶ−ＣＣフラグがクリアされたまま）、ＤＴＶ−ＣＣ表示処理を終了する（図７のモニタ画面３ｄ参照）。続いて、ＮＴＳＣ−ＣＣ表示処理において、ＮＴＳＣ−ＣＣロゴ３２を表示させ（図７のモニタ画面３ｅ参照）（＃４２）、ＮＴＳＣ−ＣＣカウンタをクリアする（＃４３）。そして、ＤＴＶ−ＣＣフラグがセットされていないので（＃４４でＮＯ）、ＮＴＳＣ−ＣＣ３４をモニタ出力させ（図７のモニタ画面３ｆ参照）（＃４５）、ＮＴＳＣ−ＣＣフラグをセットし（＃４６）、ＮＴＳＣ−ＣＣ表示処理を終了する。
【００３５】
また、ＤＴＶ−ＣＣ及びＮＴＳＣ−ＣＣが検出されていた状態（図８のモニタ画面３ｇ参照）からＤＴＶ−ＣＣが検出されなくなった場合（＃２１でＮＯ）には、ＤＴＶ−ＣＣ表示処理のステップ＃２７において、ＤＴＶ−ＣＣカウンタが１０秒以上か否か判断され、ＤＴＶ−ＣＣカウンタが１０秒以上でなければ（＃２７でＮＯ）、ＤＴＶ−ＣＣロゴ３１を表示したままＤＴＶ−ＣＣ表示処理を終了する。なお、このとき、ＤＴＶ放送信号にＤＴＶ−ＣＣは含まれないので、ＤＴＶ−ＣＣはモニタ出力されない（図８のモニタ画面３ｈ参照）。続いて、ＮＴＳＣ−ＣＣ表示処理において、ＮＴＳＣ−ＣＣロゴ３２の表示を維持したまま（＃４２）、ＮＴＳＣ−ＣＣカウンタをクリアし（＃４３）、ＤＴＶ−ＣＣカウンタが１０秒以上になるまでは、ＤＴＶ−ＣＣフラグがセットされている（すなわち、ステップ＃３０でＤＴＶ−ＣＣフラグがクリアされていない）ので（＃４４でＹＥＳ）、ＮＴＳＣ−ＣＣをモニタ出力せずにＮＴＳＣ−ＣＣ表示処理を終了する。そして、ＤＴＶ−ＣＣカウンタが１０秒以上になると（＃２７でＹＥＳ）、ＤＴＶ−ＣＣ３１ロゴを消去し（＃２９）、ＤＴＶ−ＣＣフラグをクリアして（３０）、ＮＴＳＣ−ＣＣ３４をモニタ出力する（図８のモニタ画面３ｉ参照）（＃４４でＮＯ，＃４５）。なお、ＤＴＶ−ＣＣカウンタが１０秒以上になる前に、再度、ＤＴＶ−ＣＣが検出されると（＃２１でＹＥＳ）、ＤＴＶ−ＣＣカウンタがクリアされ（＃２３）、ＤＴＣ−ＣＣ３３が表示される（図８のモニタ画面３ｊ参照）（＃２５）。
【００３６】
以上のように本実施形態のＤＴＶ放送信号受信装置１によれば、ＣＣ表示処理を実行することによりＤＴＶ−ＣＣが検出された場合に、ＤＴＶ−ＣＣが検出された旨をユーザに報知するためのＤＴＶ−ＣＣロゴをテレビ番組の画像に重ねてモニタ出力し、ＮＴＳＣ−−ＣＣが検出された場合に、ＮＴＳＣ−ＣＣが検出された旨をユーザに報知するためのＮＴＳＣ−ＣＣロゴをテレビ番組の画像に重ねてモニタ出力するので、ユーザは、視聴しているテレビ番組のＤＴＶ放送信号にＤＴＶ−ＣＣ及び／又はＮＴＳＣ−ＣＣが含まれているか否か容易に識別することができる。
【００３７】
また、ＤＴＶ放送信号の番組伝送制御データを参照せずに、ＣＣが格納されるＤＴＶ放送信号の映像データを直接参照することにより、映像データにＤＴＶ−ＣＣ及び／又はＮＴＳＣ−ＣＣが含まれているか否か検出するので、番組伝送制御データの記述が誤っている場合でも、正確にＣＣの有無を検出することができる。
【００３８】
また、ＤＴＶ−ＣＣ及びＮＴＳＣ−ＣＣの両方が検出された場合には、ユーザサイドでパラメータの設定変更が可能なＥＩＡ−７０８規格に準拠したＤＴＶ−ＣＣを優先的にモニタ出力するようにしたので、パラメータの設定によりユーザの好みが反映されたＣＣを優先的に表示させることができる。
【００３９】
また、検出されていたＤＴＶ−ＣＣ及び／又はＮＴＳＣ−ＣＣが検出されなくなった場合においても、所定時間経過するまではＤＴＶ−ＣＣロゴ及び／又はＮＴＳＣ−ＣＣロゴのモニタ出力を維持するので、一時的にＤＴＶ−ＣＣ及び／又はＮＴＳＣ−ＣＣが検出できなくなっても、ＤＴＶ−ＣＣロゴ及び／又はＮＴＳＣ−ＣＣロゴの表示が無闇に切り替わることがない。また、ＤＴＶ−ＣＣ及びＮＴＳＣ−ＣＣの表示が無闇に切り替わることもない。
【００４０】
なお、本発明は上記実施形態の構成に限られることなく種々の変形が可能である。例えば、ＤＴＶ字幕情報はＥＩＡ−７０８規格に準拠したＣＣでなくてもよく、ＮＴＳＣ字幕情報はＥＩＡ−６０８規格に準拠したＣＣに基づいて作成されたＣＣでなくてもよい。
【図面の簡単な説明】
【００４１】
【図１】本発明の一実施形態によるＤＴＶ放送信号受信装置の構成を示すブロック図。
【図２】ＤＴＶ放送信号の説明図。
【図３】同受信装置によるＣＣ表示処理を示すフローチャート。
【図４】同受信装置によるＤＴＶ−ＣＣ表示処理を示すフローチャート。
【図５】同受信装置によるＮＴＳＣ−ＣＣ表示処理を示すフローチャート。
【図６】同ＣＣ表示処理時のモニタ画面を示す図。
【図７】同ＣＣ表示処理時のモニタ画面を示す図。
【図８】同ＣＣ表示処理時のモニタ画面を示す図。
【符号の説明】
【００４２】
１    ＤＴＶ放送信号受信装置
１１  チューナ
１２  デコード部（字幕情報抽出手段）
１３  ＯＳＤ部（出力手段）
１４  リモコン
１５  リモコン受信部
１６  制御部（出力制御手段、字幕情報検出手段、第１報知画像出力制御手段、第２報知画像出力制御手段、字幕情報出力制御手段）
【図１】
2006295675.tif 000003
【図２】
2006295675.tif 000004
【図３】
2006295675.tif 000005
【図４】
2006295675.tif 000006
【図５】
2006295675.tif 000007
【図６】
2006295675.tif 000008
【図７】
2006295675.tif 000009
【図８】
2006295675.tif 000010